(57)【要約】【課題】事象を管理する側がどの事象をクライアントに通知するかを決定し、クライアント側は通知された事象が必要か否かを判断して起動すべきプログラムを決定する。【解決手段】事象情報を登録し制御する情報を入力する事象管理クライアント２０と、前記事象情報を格納し任意の事象の開始によって起動すべきプログラムを特定する事象管理サーバ１０と、前記事象管理サーバに事象の状況を問い合わせ起動すべきプログラムが存在する場合にはそのプログラムを起動させる事象監視クライアント３０と、前記事象管理クライアント，前記事象管理サーバ，および前記事象監視クライアントを相互に接続するインタネット４０とを有し、事象管理者によって前記事象管理クライアントから前記事象管理サーバに登録された事象の状況を前記事象監視クライアントが監視し、任意の事象の発生を検出したときには、その事象に関連付けられたプログラムを起動させる。【選択図】      図１
2005050151.tif 000002
【特許請求の範囲】
【請求項１】
通信ネットワークを介して登録された事象の発生を監視しこの事象に関連付けられたプログラムを起動させるプログラム起動方式において、事象情報を格納し任意の事象の開始によって起動すべきプログラムを特定する事象管理サーバと、前記通信ネットワークを介して前記事象管理サーバに登録する事象情報を入力し送信する事象管理クライアントと、前記事象管理サーバに事象の状況を問い合わせ起動すべきプログラムが存在する場合にはそのプログラムを起動させる事象監視クライアントとを有することを特徴とするプログラム起動方式。
【請求項２】
請求項1記載のプログラム起動方式において、前記事象管理サーバは、前記事象管理クライアントが送信する事象情報を格納する事象情報データベースと、前記事象管理クライアントおよび前記事象監視クライアントと交信し任意の事象の状況に基づいて起動すべき特定のプログラムを前記事象監視クライアントに通知するサーバ管理プログラムと、サーバ自身の固有の情報を保持するサーバ情報ファイルとを具備することを特徴とするプログラム起動方式。
【請求項３】
請求項1または２記載のプログラム起動方式において、前記事象管理クライアントは、任意の事象情報を入力し前記通信ネットワークを介して前記事象管理サーバへそれを送信し登録するＷＥＢブラウザを具備することを特徴とするプログラム起動方式。
【請求項４】
請求項1，２，または３記載のプログラム起動方式において、前記事象監視クライアントは、前記事象管理サーバを識別する情報を保持するサーバ情報ファイルと、前記サーバ情報ファイルを参照し前記事象管理サーバと前記通信ネットワークを介して交信し開始中の事象情報を取得しそれをクライアント管理プログラムに通知する事象監視プログラムと、前記事象監視プログラムから取得した事象情報から起動すべきプログラムを決定しそれを起動するクライアント管理プログラムとを具備することを特徴とするプログラム起動方式。
【請求項５】
事象情報を登録し制御する情報を入力する事象管理クライアントと、前記事象情報を格納し任意の事象の開始によって起動すべきプログラムを特定する事象管理サーバと、前記事象管理サーバに事象の状況を問い合わせ起動すべきプログラムが存在する場合にはそのプログラムを起動させる事象監視クライアントと、前記事象管理クライアント，前記事象管理サーバ，および前記事象監視クライアントを相互に接続する通信ネットワークとを有し、
事象管理者によって前記事象管理クライアントから前記事象管理サーバに登録された事象の状況を前記事象監視クライアントが監視し、任意の事象の発生を検出したときには、その事象に関連付けられたプログラムを起動させることを特徴とするプログラム起動方法。
【請求項６】
請求項５記載のプログラム起動方法において、前記事象管理クライアントは、任意の事象情報を入力し前記通信ネットワークを介して前記事象管理サーバへそれを送信し登録することを特徴とするプログラム起動方法。
【請求項７】
請求項５または６記載のプログラム起動方法において、前記事象管理サーバは、前記事象管理クライアントが送信する事象情報を事象情報データベースに格納し、前記事象管理クライアントおよび前記事象監視クライアントと交信し任意の事象の状況に基づいて起動すべき特定のプログラムを前記事象監視クライアントに通知し、サーバ自身の固有の情報をサーバ情報として保持することを特徴とするプログラム起動方法。
【請求項８】
請求項５，６，または７記載のプログラム起動方法において、前記事象監視クライアントは、前記事象管理サーバを識別する情報をサーバ情報ファイルに保持し、前記サーバ情報ファイルを参照し前記事象管理サーバと前記通信ネットワークを介して交信し開始中の事象情報を取得し、前記事象情報から起動すべきプログラムを決定しそれを起動することを特徴とするプログラム起動方法。
【発明の詳細な説明】
【技術分野】
【０００１】
本発明はプログラム起動方式および方法に関し、特に通信ネットワークを介してサーバに登録された事象の発生をクライアントが監視し、その事象に関連付けられたプログラムを起動するプログラム起動方式および方法に関する。
【背景技術】
【０００２】
特定の事象（イベントともいう。）を自動的に通知する方法では、監視する事象を個々のクライアント側で指定し、指定した事象が発生した場合に行う所定のアクションも個々のクライアント側で指定する必要がある（たとえば、特許文献１参照。）。
【０００３】
しかしながら、インタネットなどのネットワークを介したＴＶ会議などを行う場合、会議参加者となるクライアント側ではなく、会議の主催者が主導で会議参加者のシステムにインストールされているＴＶ会議用プログラムを起動したり、または主催者が指定した会議資料を表示するための別のプログラムを起動するなど、すべてのクライアントに同一の動作を行わせることが必要となる。
【０００４】
また、会議に多数の参加者がいる場合や、参加者の追加・欠席が頻繁に起る場合など、会議主催者が参加者全員を正確に把握できないこともある。
【０００５】
【特許文献１】特開２００２−１０９１７０号公報（第４〜６頁，図１）
【発明の開示】
【発明が解決しようとする課題】
【０００６】
上記のように、従来の事象管理方法では、登録された事象を管理しているサーバ側から事象の発生を該当のクライアントに通知し、それぞれのクライアントでは事象に対応するアクションを指定している。しかしながら、特定の事象に対応して多数のクライアントに同一のアクションを要求したり、各クライアントの都合によってアクションを変更したりすることは困難である。
【０００７】
本発明の目的は、上記のような問題点を改善するために、事象を管理する側がどの事象をクライアントに通知するかを決定し、クライアント側は通知された事象が必要か否かを判断して次のアクションを決定するプログラム起動方式および方法を提供することにある。
【課題を解決するための手段】
【０００８】
本発明のプログラム起動方式は、通信ネットワークを介して登録された事象の発生を監視しこの事象に関連付けられたプログラムを起動させるプログラム起動方式において、事象情報を格納し任意の事象の開始によって起動すべきプログラムを特定する事象管理サーバと、前記通信ネットワークを介して前記事象管理サーバに登録する事象情報を入力し送信する事象管理クライアントと、前記事象管理サーバに事象の状況を問い合わせ起動すべきプログラムが存在する場合にはそのプログラムを起動させる事象監視クライアントとを有することを特徴とする。
【０００９】
さらに、本発明のプログラム起動方式において、前記事象管理サーバは、前記事象管理クライアントが送信する事象情報を格納する事象情報データベースと、前記事象管理クライアントおよび前記事象監視クライアントと交信し任意の事象の状況に基づいて起動すべき特定のプログラムを前記事象監視クライアントに通知するサーバ管理プログラムと、サーバ自身の固有の情報を保持するサーバ情報ファイルとを具備することを特徴とする。
【００１０】
さらに、本発明のプログラム起動方式において、前記事象管理クライアントは、任意の事象情報を入力し前記通信ネットワークを介して前記事象管理サーバへそれを送信し登録するＷＥＢブラウザを具備することを特徴とする。
【００１１】
さらに、本発明のプログラム起動方式において、前記事象監視クライアントは、前記事象管理サーバを識別する情報を保持するサーバ情報ファイルと、前記サーバ情報ファイルを参照し前記事象管理サーバと前記通信ネットワークを介して交信し開始中の事象情報を取得しそれをクライアント管理プログラムに通知する事象監視プログラムと、前記事象監視プログラムから取得した事象情報から起動すべきプログラムを決定しそれを起動するクライアント管理プログラムとを具備することを特徴とする。
【００１２】
また、本発明のプログラム起動方法は、事象情報を登録し制御する情報を入力する事象管理クライアントと、前記事象情報を格納し任意の事象の開始によって起動すべきプログラムを特定する事象管理サーバと、前記事象管理サーバに事象の状況を問い合わせ起動すべきプログラムが存在する場合にはそのプログラムを起動させる事象監視クライアントと、前記事象管理クライアント，前記事象管理サーバ，および前記事象監視クライアントを相互に接続する通信ネットワークとを有し、事象管理者によって前記事象管理クライアントから前記事象管理サーバに登録された事象の状況を前記事象監視クライアントが監視し、任意の事象の発生を検出したときには、その事象に関連付けられたプログラムを起動させることを特徴とする。
【００１３】
さらに、本発明のプログラム起動方法において、前記事象管理クライアントは、任意の事象情報を入力し前記通信ネットワークを介して前記事象管理サーバへそれを送信し登録することを特徴とする。
【００１４】
さらに、本発明のプログラム起動方法において、前記事象管理サーバは、前記事象管理クライアントが送信する事象情報を事象情報データベースに格納し、前記事象管理クライアントおよび前記事象監視クライアントと交信し任意の事象の状況に基づいて起動すべき特定のプログラムを前記事象監視クライアントに通知し、サーバ自身の固有の情報をサーバ情報として保持することを特徴とする。
【００１５】
さらに、本発明のプログラム起動方法において、前記事象監視クライアントは、前記事象管理サーバを識別する情報をサーバ情報ファイルに保持し、前記サーバ情報ファイルを参照し前記事象管理サーバと前記通信ネットワークを介して交信し開始中の事象情報を取得し、前記事象情報から起動すべきプログラムを決定しそれを起動することを特徴とする。
【００１６】
すなわち、本発明によれば、ネットワークを介して、事象管理者によってサーバに登録された事象を、クライアントが監視し、事象の発生を検出して、事象に関連付けられたアプリケーションプログラムを自動で起動する方法を提供することができる。
【００１７】
事象の制御をおこなう事象管理者は、インタネットに接続している事象管理クライアントのＷＥＢブラウザを用いて事象管理サーバへ、制御する事象を登録する。
【００１８】
登録する情報として、事象を識別するためのＩＤ、事象を説明する詳細情報、事象管理者ＩＤ、事象管理者パスワード、開始／終了時刻、事象によって起動すべきアプリケーション名、そのアプリケーションの起動パラメータが必要となる。起動すべきアプリケーションには複数のアプリケーションを指定することも可能である。これらの情報を事象情報データベースへ登録する。
【００１９】
その後、事象管理者はＷＥＢブラウザを介して、事象の開始通知を事象管理サーバへ送信する。
【００２０】
事象監視クライアントの事象監視プログラムは、事象管理サーバの情報が格納されたサーバ情報ファイルを参照し、インタネットを介して事象管理サーバにアクセスし、事象管理サーバに対し、現在開始されている事象がないかどうか一定間隔で問い合わせを行う。
【００２１】
事象管理サーバは事象情報データベースを確認し、開始されている事象の有無を事象監視プログラムへ返却する。このとき、開始されている事象が存在する場合、事象監視プログラムへは、起動すべきアプリケーション名とそのアプリケーションの起動パラメータの一覧が返却される。
【００２２】
事象監視プログラムはクライアント管理プログラムへ、起動すべきアプリケーションを通知し、クライアント管理プログラムは指定されたアプリケーションを起動する。起動するアプリケーションは複数個を指定することもできる。
【発明の効果】
【００２３】
第一の効果は、１人の事象管理者の操作によって、複数の事象監視クライアント上のアプリケーションを起動できることにある。その理由は、事象管理者は、発生させる事象と、その事象開始時に起動すべきアプリケーションの情報を事象管理サーバへ通知するのみであり、その事象に関係する事象監視クライアント各々が事象管理サーバに問い合わせることにより、個々の事象監視クライアント上のクライアント管理プログラムがアプリケーションの起動をおこなうからである。
【００２４】
第二の効果は、事象管理サーバで事象監視クライアントの台数やアドレスを管理する必要がないため、構成が単純にできることにある。その理由は、個々の事象監視クライアントが事象管理サーバを識別するためのサーバ情報を保持しているからである。
【００２５】
第三の効果は、不要な事象の発生を抑制できることにある。その理由は、発生させる事象の開始／終了時刻を指定することにより事象の有効期限を定め、その期限内だけ事象の発生通知を行うからである。
【発明を実施するための最良の形態】
【００２６】
以下、本発明について図面を参照しながら説明する。
【実施例１】
【００２７】
図１は本発明の実施の第一の形態を示す説明図である。同図において、本発明によるプログラム起動方式は、事象情報データベース１２とサーバ管理プログラム１３とから成る事象管理サーバ１０と、ＷＥＢブラウザ２１から成る事象管理クライアント２０と、事象監視プログラム３１とクライアント管理プログラム３２とアプリケーションプログラム３３とアプリケーションプログラム３４とサーバ情報ファイル３５とから成る事象監視クライアント３０と、これらを相互に接続するインタネット４０とから構成されている。
【００２８】
事象管理サーバ１０は、事象情報データベース１２とサーバ管理プログラム１３とから構成され、インタネット４０へアクセス可能であり、ＷＥＢサーバとしての機能を備えている。サーバ管理プログラム１３は、インタネット４０を介して事象管理クライアント２０から送信される事象情報（図３参照。）を事象情報データベース１２へ保存する機能を備えている。
【００２９】
図３を参照すると、事象情報には事象を識別するための事象ＩＤ、事象を説明する詳細情報、事象管理者ＩＤ、事象管理者パスワード、開始／終了時刻、事象開始によって起動すべきアプリケーション名、そのアプリケーションの起動パラメータが含まれる。起動すべきアプリケーションとその起動パラメータは複数指定することが可能である。
【００３０】
また、サーバ管理プログラム１３は、事象情報データベース１２に保存されている個々の事象の開始／終了時刻と現在時刻とを比較し、有効な事象のみを開始可能状態にする。さらに、事象管理クライアント２０から送信される事象開始通知（図４参照。）を受信し、事象開始通知に含まれる事象ＩＤと同一の事象ＩＤのデータが事象情報データベース１２に存在するかを確認し、また、事象開始通知に含まれる事象管理者ＩＤと事象管理者パスワードが事象情報データベース１２に登録されているそれと一致するかどうかを検証し、検証後、事象情報データベース１２の内容を更新する機能を備えている。
【００３１】
さらに、サーバ管理プログラム１３は、インタネット４０を介して事象監視クライアント３０の事象監視プログラム３１から送信される起動アプリケーション一覧取得要求を受信し、開始された事象の存在を事象情報データベース１２で確認し、開始済み事象情報（図５参照。）を含む確認結果を起動アプリケーション一覧取得応答として事象監視クライアント３０へ返却する機能を備えている。
【００３２】
事象管理クライアント２０はＷＥＢブラウザ２１から構成され、事象管理者がＷＥＢブラウザ２１を使用してインタネット４０を介して事象管理サーバ１０へ接続し、図３に示される事象情報を登録する機能を備えている。また、ＷＥＢブラウザ２１を使用してインタネット４０を介して事象管理サーバ１０へ接続し、事象開始を通知する機能を備えている。
【００３３】
事象監視クライアント３０は、事象監視プログラム３１とクライアント管理プログラム３２とアプリケーションプログラム３３とアプリケーションプログラム３４とサーバ情報ファイル３５とから構成され、インタネット４０へアクセス可能である。
【００３４】
事象監視プログラム３１は、サーバ情報ファイル３５に保存されている事象管理サーバ１０のアドレスとポート番号を読み込み、事象管理サーバ１０のサーバ管理プログラム１３へインタネット４０を介して、現在開始されている事象の有無を確認する為の起動アプリケーション一覧取得要求を送信する機能を備えている。
【００３５】
さらに、事象監視プログラム３１は、事象管理サーバ１０から返却された起動アプリケーション一覧取得応答を受信し、その応答に含まれる図５に示される開始済み事象情報を取り出し、クライアント管理プログラム３２に送信する機能を備えている。
【００３６】
クライアント管理プログラム３２は、事象監視プログラム３１から送信された開始済み事象情報から起動するべきアプリケーションの名称とその起動パラメータを取り出し、アプリケーション３３、またはアプリケーション３４、またはアプリケーション３３および３４の両方を起動する機能を備えている。
【００３７】
図２は上記のプログラム起動方式の動作を示す流れ図である。
【００３８】
まず、事象管理者は事象管理クライアント２０からＷＥＢブラウザ２１を起動する（ステップＡ１）。次に、ＷＥＢブラウザ２１で事象管理サーバ１０を示すＵＲＬにアクセスし、事象を登録する画面（図６参照。）を開き、図３に示される事象を識別するＩＤ，事象開始時に起動すべきアプリケーション，その他事象の詳細な情報（事象情報）を入力し、事象管理サーバ１０のサーバ管理プログラム１３へ送信する（ステップＡ２）。
【００３９】
事象管理サーバ１０のサーバ管理プログラム１３は、事象管理クライアント２０から送信された事象情報を事象情報データベース１２へ未開始データとして保存する（ステップＡ３）。
【００４０】
事象監視クライアント３０の事象監視プログラム３１は現在開始されている事象の有無を問い合わせるために、サーバ情報ファイル３５で識別可能な事象管理サーバ１０のサーバ管理プログラム１３へ起動アプリケーション一覧取得要求を送信する（ステップＡ４）。
【００４１】
事象管理サーバ１０のサーバ管理プログラム１３は、現在開始されている事象の有無を事象情報データベース１２で確認し、事象の有無を起動アプリケーション一覧取得応答として事象監視クライアント３０へ返却する（ステップＡ５）。
【００４２】
開始されている事象が存在しない場合には起動アプリケーション一覧取得応答には事象の有無のみが含まれる。起動アプリケーション一覧取得応答の内容が「開始済み事象なし」を示している場合、起動アプリケーション一覧取得要求の送信（ステップＡ４）は、その後も一定間隔でおこなわれる。
【００４３】
その後、事象管理者は事象管理クライアント２０のＷＥＢブラウザ２１を起動し、事象管理サーバ１０へアクセスし、事象情報管理データベース１２に登録されている事象の一覧画面（図７参照。）を表示し、その中から１つの事象を選択し、図８に示す開始要求送信画面を表示する。このとき、この表示画面では選択された事象の開始／終了時刻を現在時刻と比較し、それが有効な範囲であれば、開始要求送信画面の下部にある「開始」ボタンを表示している。そうでない場合は、「開始」ボタンを表示しない。
【００４４】
この「開始」ボタンが表示されているとき、このボタンを押下することにより、この事象を開始するよう事象開始通知を事象管理サーバ１０のサーバ管理プログラム１３へ送信する（ステップＡ６）。
【００４５】
送信された事象開始通知を受け、事象管理サーバ１０のサーバ管理プログラム１３は、この事象開始通知から事象ＩＤを取り出し、事象情報データベース１２上で、指定された事象ＩＤのデータを検索し、一致したデータに含まれる事象管理者ＩＤと事象管理者パスワードが事象開始通知に含まれる事象管理者ＩＤと事象管理者パスワードと一致するかを確認し、一致する場合に指定された事象の状態を開始状態へ更新する（ステップＡ７）。
【００４６】
ステップＡ４以降、事象監視クライアント３０の事象監視プログラム３１は、一定間隔で現在開始されている事象の有無を問い合わせるために、事象管理サーバ１０のサーバ管理プログラム１３へ起動アプリケーション一覧取得要求を送信している（ステップＡ８）。
【００４７】
事象管理サーバ１０のサーバ管理プログラム１３は、現在開始されている事象の有無を事象情報データベース１２で確認し、事象の有無を起動アプリケーション一覧取得応答として事象監視クライアント３０へ返却する。ここでは、開始されている事象が存在するため、起動アプリケーション一覧取得応答に開始済み事象情報（図５参照。）が含まれる（ステップＡ９）。
【００４８】
事象監視クライアント３０の事象監視プログラム３１は、受信した起動アプリケーション一覧取得応答から開始済み事象情報を取り出し、それを起動パラメータとしてクライアント管理プログラム３２を起動する（ステップＡ１０）。
【００４９】
クライアント管理プログラム３２は、起動パラメータとして渡された開始済み事象情報から、起動すべきアプリケーション名とそのアプリケーション起動パラメータを取り出し、指定されているアプリケーション３３，アプリケーション３４を起動する（ステップＡ１１）。
【実施例２】
【００５０】
図９は本発明の実施の第二の形態を示す説明図である。同図において、本発明によるプログラム起動方式は、事象管理サーバ５０が追加され、事象管理サーバ１０ａでは事象管理サーバ１０へサーバ情報ファイル１１が追加された点で図１と異なる。
【００５１】
追加される事象管理サーバ５０は、事象監視クライアント３０が数十台から数百台規模となる場合、事象管理サーバの負荷分散のため設置する。
【００５２】
事象管理サーバ１０ａは、負荷分散のために設置された事象管理サーバ５０を識別する情報が記述されたサーバ情報ファイル１１を備える。事象管理サーバ１０ａは、事象管理クライアント２０から事象開始通知を受け取った際、事象開始通知を事象管理サーバ５０へ送信する機能を備えている。また、事象管理サーバ５０は、事象管理サーバ１０ａと同様に、サーバ管理プログラム５３を備えている。
【００５３】
事象情報データベース１２は事象管理サーバ１０ａのみが備えており、事象管理サーバ５０は、事象情報データベース１２を備える事象管理サーバ１０ａを識別する情報が記述されたサーバ情報ファイル５１を備えている。また、事象管理サーバ５０は、事象管理サーバ１０ａから送信された事象開始通知をメモリ上に保持する機能を備えている。
【００５４】
事象監視クライアント３０のサーバ情報ファイル３５には、負荷分散のために設置された事象管理サーバ５０を識別する情報も記述されている。更なる負荷分散のために、事象管理サーバ５０を複数設置することも可能である。
【００５５】
図１０は上記のプログラム起動方式の動作を示す流れ図である。
【００５６】
まず、図１０のステップＢ１からステップＢ３の動作は、図２のステップＡ１からステップＡ３と同様である。
【００５７】
事象監視クライアント３０の事象監視プログラム３１は現在開始されている事象の有無を問い合わせるために、事象管理サーバ５０のサーバ管理プログラム５３へ起動アプリケーション一覧取得要求を送信する（ステップＢ４）。
【００５８】
事象管理サーバ５０のサーバ管理プログラム５３はメモリ上に現在開始されている事象の情報がないか確認し、事象の有無を起動アプリケーション一覧取得応答として事象監視クライアント３０の事象監視プログラム３１へ返却する（ステップＢ５）。
【００５９】
開始されている事象が存在しない場合には、起動アプリケーション一覧取得応答には事象の有無のみが含まれる（ステップＢ５）。起動アプリケーション一覧取得応答の内容が「開始済み事象なし」を示している場合、起動アプリケーション一覧取得要求の送信（ステップＢ４）は、その後も一定間隔でおこなわれる。
【００６０】
その後、事象管理者は事象管理クライアント２０のＷＥＢブラウザ２１を起動し、事象管理サーバ１０ａへアクセスし、図２のステップＡ６と同様の処理を行う（ステップＢ６）。
【００６１】
事象管理サーバ１０ａのサーバ管理プログラム１３は、送信された事象開始通知を受け、図２のステップＡ７と同様の更新処理をおこなう（ステップＢ７）。
【００６２】
事象管理サーバ１０ａのサーバ管理プログラム１３は、サーバ情報ファイル１１を参照し、負荷分散の為に設置された事象管理サーバ５０を識別し、更新された事象情報を含む事象開始通知を事象管理サーバ５０のサーバ管理プログラム５３へ送信する（ステップＢ８）。
【００６３】
事象管理サーバ５０のサーバ管理プログラム５３は、事象管理サーバ１０ａのサーバ管理プログラム１３から送信された事象開始通知から事象情報を取り出し、メモリ上に保持する（ステップＢ９）。
【００６４】
ステップＢ４以降、事象監視クライアント３０の事象監視プログラム３１は、一定間隔で現在開始されている事象の有無を問い合わせるために、事象管理サーバ５０のサーバ管理プログラム５３へ起動アプリケーション一覧取得要求を送信している（ステップＢ１０）。
【００６５】
事象管理サーバ５０のサーバ管理プログラム５３はメモリ上に保持している事象情報を起動アプリケーション一覧取得応答として事象監視クライアント３０の事象監視プログラム３１へ返却する（ステップＢ１１）。
【００６６】
図１０のステップＢ１２およびＢ１３の処理は、図２のステップＡ１０およびＡ１１と同様である。
【産業上の利用可能性】
【００６７】
本発明は、たとえばＴＶ会議などのように、主催者側が主導して特定のプログラムを起動させるように設定したり、多数の被主催者が個々の都合に応じてそのプログラムを実行させたりする際に、格別の効果を発揮する。
【図面の簡単な説明】
【００６８】
【図１】本発明の実施の第一の形態を示す説明図。
【図２】図１の実施例の動作を示す流れ図。
【図３】事象情報の内容を示す説明図。
【図４】事象開始通知の内容を示す説明図。
【図５】開始済み事象情報の内容を示す説明図。
【図６】事象登録画面を示す説明図。
【図７】事象一覧画面を示す説明図。
【図８】事象開始要求送信画面を示す説明図。
【図９】本発明の実施の第二の形態を示す説明図。
【図１０】図９の実施例の動作を示す流れ図。
【符号の説明】
【００６９】
１０，１０ａ，５０    事象管理サーバ
１１，３５，５１    サーバ情報ファイル
１２    事象情報データベース
１３，５３    サーバ管理プログラム
２０    事象管理クライアント
２１    ＷＥＢブラウザ
３０    事象監視クライアント
３１    事象監視プログラム
３２    クライアント管理プログラム
３３，３４    アプリケーションプログラム
４０    インタネット
【図１】
2005050151.tif 000003
【図２】
2005050151.tif 000004
【図３】
2005050151.tif 000005
【図４】
2005050151.tif 000006
【図５】
2005050151.tif 000007
【図６】
2005050151.tif 000008
【図７】
2005050151.tif 000009
【図８】
2005050151.tif 000010
【図９】
2005050151.tif 000011
【図１０】
2005050151.tif 000012